(57)【要約】【課題】  自立させた状態で収容物を取出し易くすると共に、取出し口部を容易且つ確実に閉塞して収容物を効果的に保存することができ、且つ収容物が減少した場合でも、収容物の取出し易さを容易に保持することができるガセット袋を提供する。【解決手段】  前後一対の正面部１４と、これらの正面部１４の内側に折込み可能な左右一対の側面折り込み部１５とを備え、自立させた状態で上端取出し口１１を開口しつつ収容された粉末状の洗剤１６を取出せるようにしたガセット袋１０であって、正面部１４と側面折り込み部１５とが連接する立辺１７に沿って、塑性変形可能な縦方向線状部材１８が取出し口部１３から胴部１２にかけて各々取付けられており、少なくとも正面部１４には、縦方向線状部材１８と交差する位置に、高さ方向の途中で袋を切断させる切断案内線２１が設けられており、且つ縦方向線状部材１８は、切断案内線２１に沿って切断可能となっている。【選択図】      図２
2005186955.tif 000002
【特許請求の範囲】
【請求項１】
前後一対の正面部と、これらの正面部の内側に折り込み可能な左右一対の側面折り込み部とを備え、自立させた状態で上端取出し口を開口しつつ収容物を取り出せるようにしたガセット袋であって、
前記正面部と前記側面折り込み部とが連接する立辺に沿って、塑性変形可能な縦方向線状部材が取出し口部から胴部にかけて各々取り付けられており、
少なくとも前記正面部には、前記縦方向線状部材と交差する位置に、高さ方向の途中で袋を切断させる切断案内線が設けられており、
且つ前記縦方向線状部材は、前記切断案内線に沿って切断可能となっているガセット袋。
【請求項２】
前記切断案内線が、高さ方向に間隔をおいて複数設けられている請求項１記載のガセット袋。
【請求項３】
前記切断案内線が切断用テープによって構成されており、該切断用テープを引き剥がすことにより、高さ方向の途中で袋を切断させる請求項１又は２に記載のガセット袋。
【請求項４】
請求項１〜３のいずれかに記載のガセット袋に粉粒状の洗剤を収容してなる洗剤製品。
【発明の詳細な説明】
【技術分野】
【０００１】
本発明は、ガセット袋及び洗剤製品に関し、特に前後一対の正面部と、これらの正面部の内側に折り込み可能な左右一対の側面折り込み部とを備え、自立させた状態で上端取出し口を開口しつつ収容物を取り出せるようにしたガセット袋及び該ガセット袋に粉粒状の洗剤を収容した洗剤製品に関する。
【背景技術】
【０００２】
ガセット袋は、一枚又は複数枚のシート材料から形成される、前後一対の正面部と、これらの正面部の内側にＶ字状に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
また、このようなガセット袋は、上端開口から収容された収容物が不用意に露出しないようにすると共に、収容された収容物を再び取り出すことができるように、例えば開口部付近の正面部に折れ癖線を設けて上端部分を折り返させるようにしたり、一方の正面部の上端にカバー片を連接配置して当該カバー片に係止紐を設け、この係止紐を他方の正面部の開口部付近に設けた巻付け係止片に巻き付けて、上端開口を閉塞させるような工夫がなされている。
【０００４】
さらに、このようなガセット袋においては、収容物を収容した後の上端開口の開閉をよりスムーズ且つ確実に行えるように、防水性コートが施されたクラフト紙による袋の袋口近傍に、縦方向に延設する閉塞用の金属部材（アルミニウム）片を設けたもの（例えば、特許文献１参照）や、紙、ビニール等によって作成した袋本体の口部の一方または両方の縁部に沿って横方向に、更には側縁に沿って、針金またはリボン状の金属芯材を取り付けた封かん口金具を備えたもの（例えば、特許文献２参照）が開示されている。
【０００５】
さらにまた、左右側壁に折りひだを有するごみ袋において、左右側壁の袋口縁部に沿って薄い金属帯板や針金を設けたものや（例えば、特許文献３参照）、廃棄物処理用袋の周囲の四隅に止具を備え付けて、この止具を介して袋の四隅を針金等からなる支柱部に止め付けたもの（例えば、特許文献４参照）が開示されている。
【特許文献１】特開２０００−７２１５９号公報
【特許文献２】実開昭４９−１２１１２号公報
【特許文献３】実公昭５１−４６３７２号公報
【特許文献４】特開昭６１−１４２１２３号公報
【発明の開示】
【発明が解決しようとする課題】
【０００６】
一方、ガセット袋は、これを構成するシート材料や当該ガセット袋の形態等を工夫することにより、その用途が拡大している。例えば粉状又は粒状の洗剤等を収容する袋容器として、上端開口を封止することにより収容物を封入した状態で製品化され、使用者は、上端の封止部分を切り取って上端開口を形成し、洗剤等を繰り返し取り出して使用できるようにしたガセット袋においては、封止部分を切り取った後に開口した上端開口を再び容易に閉塞できるようにする必要がある他、開口した上端開口から洗剤等を容易に取り出せるようにする必要がある。
【０００７】
しかしながら、上記特許文献１，２のガセット袋によれば、平坦に折り畳まれた状態から、側面折り込み部の折り込み部分を拡げて矩形形状の上端開口を形成し、しかる後に収容物を収容する紙又はプラスチック製の簡易な袋であることから、これらを例えば洗剤等を収容して製品化するための袋容器として使用する場合には、種々の問題を生じることになる。すなわち、特許文献１に記載のガセット袋は、例えばゴミや嘔吐物を収容するために自動車内に備え付けられるクラフト紙による小型の紙袋であり、閉塞用の金属部材（アルミニウム）片は、単に袋口を閉塞するためのものであって、ガセット袋を自立させた状態で収容物を取り出し易くするものではない。また、特許文献２に記載のガセット袋によれば、紙、ビニール等によって作成され、袋本体の口部に取り付けた封かん口金具を介して、品物を入れて口部を閉じた後に、当該封かん口金具を折り曲げるだけの作業によって、封かん紙等を貼りつけることなく口部を閉塞するものであって、ガセット袋を自立させた状態で収容物を取り出し易くするものではない。
【０００８】
さらに、上記特許文献３，４のごみ袋や廃棄物処理用袋によれば、袋口縁部に沿って設けられた薄い金属帯板や針金、あるいは袋の四隅が止め付けられる針金等の線材からなる支柱部は、袋にゴミや廃棄物を投入する間は袋の開口形状を保持するものであるが、針金等を折り曲げて当該袋を封緘した後は、再び袋を開封するものではないため、上端開口を開閉しつつ保存された内容物を必要に応じて繰り返し取り出すことが困難である。
【０００９】
さらにまた、洗剤等の収容物を繰り返し取り出して使用できるようにしたガセット袋においては、使用により収容物が減少するのに伴って、上部の収容物が収容されない部分が大きくなることにより、取出し口から収容物に至るまでの長さが長くなって、収容物を取り出し難くなる。
【００１０】
本発明は、収容物を封入した状態で製品化され、例えば上端の封止部分を切り取って取出し口を形成し、収容物を繰り返し取り出して使用できるようにしたガセット袋において、自立させた状態で収容物を取り出し易くすると共に、取出し口部を容易且つ確実に閉塞して収容物を効果的に保存することができ、且つ収容物が減少した場合でも、収容物の取り出し易さを容易に保持することができるガセット袋及び該ガセット袋に粉粒状の洗剤を収容した洗剤製品を提供することを目的とする。
【課題を解決するための手段】
【００１１】
本発明は、前後一対の正面部と、これらの正面部の内側に折り込み可能な左右一対の側面折り込み部とを備え、自立させた状態で上端取出し口を開口しつつ収容物を取り出せるようにしたガセット袋であって、前記正面部と前記側面折り込み部とが連接する立辺に沿って、塑性変形可能な縦方向線状部材が取出し口部から胴部にかけて各々取り付けられており、少なくとも前記正面部には、前記縦方向線状部材と交差する位置に、高さ方向の途中で袋を切断させる切断案内線が設けられており、且つ前記縦方向線状部材は、前記切断案内線に沿って切断可能となっているガセット袋を提供することにより、上記目的を達成したものである。
【００１２】
また、本発明は、前記ガセット袋に粉粒状の洗剤を収容してなる洗剤製品を提供することにより、上記目的を達成したものである。
【００１３】
ここで、ガセット袋の取出し口部は、当該ガセット袋を閉塞するために例えばこれの上端部分から下半部分に至る領域における適宜の位置で折り返した際の、当該折り返し部及びこれよりも上端取り出し口側の部分であり、ガセット袋の胴部は、この折り返し部よりも底部側に位置して、収容物を収容する本体部分を構成する部分である。すなわち、本発明によれば、ガセット袋を閉塞する際に折り返される折り返し部の位置は、ガセット袋に収容された収容物の減少等に伴って上下方向に移動してゆくものであり、このような折り返し部の位置は予め特定されることなく所定の領域内で任意に選択されるものであることから、閉塞時にガセット袋が実際に折り返される折り返し部を挟んだ上方部分を取出し口部、下方部分を胴部として規定するものである。したがって、「塑性変形可能な縦方向線状部材を取出し口部から胴部にかけて取り付ける」とは、閉塞時に少なくとも折り返し部が位置すると予想されるガセット袋の上下方向の領域に亘って、縦方向線状部材が取り付けられていることを意味するものである。
【００１４】
また、塑性変形可能な縦方向線状部材は、例えば金属製の針金や、板、細幅状板、メッシュ、リボン、或いは形状記憶合金、形状記憶樹脂等からなり、手の指の力で容易に折り曲げて変形させることができると共に、折り曲げ後の形状を容易に保持できる程度の塑性変形性を備える線状部材であり、且つ例えば取出し口部を折り返してガセット袋を閉塞した際に、取出し口部のシート材料の折り返し復元力に抵抗して、取出し口部の折り返し状態を安定して保持できる程度の塑性変形時の保形剛性を有するものである。また線状部材には、針金等の線形部材の他、ある程度の幅をもった例えば細長い帯板状の部材も含まれる。さらに線状部材は、一本の線状部材として連続しているものの他、断続的に連続しているものも含まれる。
【００１５】
さらに、切断案内線は、当該切断案内線に沿って、ガセット袋を横方向に横断する切り込みが容易に形成されるように案内する線状の部分であって、鋏等の切込み部材による切断箇所を線分等によって誘導或いは明示するものや、切断用テープ等によって構成されて、当該切断案内線自体が切断機能を備えているものであっても良い。また切断案内線は、例えば鋏等の切込み部材による切断位置を誘導或いは明示するものの場合には、ガセット袋の少なくとも一方の正面部に設けられていれば良く、例えば切断案内線自体が切断機能を備えているものの場合には、ガセット袋の全周に亘って、前後一対の正面部及び左右一対の側面折り込み部に設けられていることが好ましい。
【００１６】
さらにまた、縦方向線状部材が切断案内線に沿って切断可能となっている態様としては、縦方向線状部材が鋏等の切込み部材によって切断可能な材料で形成されている場合や、縦方向線状部材の切断案内線が交差する部分が切込み部材によって切断可能な材料で形成されている場合の他、例えば縦方向線状部材を一本の直線で連続させることなく、少なくとも切断案内線が交差する部分で予め切断された状態で断続的に連続させて設けることにより、切断案内線に沿った切り込みによって縦方向線状部材が切り離されるようしたものも含まれる。
【発明の効果】
【００１７】
本発明によれば、収容物を封入した状態で製品化され、例えば上端の封止部分を切り取って取出し口を形成し、収容物を繰り返し取り出して使用できるようにしたガセット袋又は該ガセット袋に粉粒状の洗剤を収容した洗剤製品において、自立させた状態で収容物を取り出し易くすると共に、取出し口部を容易且つ確実に閉塞して収容物を効果的に保存することができ、且つ収容物が減少した場合でも、収容物の取り出し易さを容易に保持することができる。
【発明を実施するための最良の形態】
【００１８】
図１に示す本発明の好ましい第１実施形態に係るガセット袋１０は、収容物として例えば粉末状の洗剤を収容する容器として用いられ、図２（ａ），（ｂ）に示すように、上端取出し口１１を封止して製品化されている状態から、使用者がこの封止部分を切り取り線２０に沿って切り取って上端取出し口１１を開口形成し、当該上端取出し口１１から洗剤１６を繰り返し取り出して使用できるようにすると共に、洗剤１６を必要量取り出したら、その都度、取出し口部１３をスムーズ且つ安定した状態で閉塞させて、収容された洗剤１６を効果的に保存することを可能にするものである。すなわち、本第１実施形態に係るガセット袋１０は、粉粒状の洗剤を収容した洗剤製品を構成するものである。
【００１９】
そして、本第１実施形態のガセット袋１０は、前後一対の正面部１４と、これらの正面部１４の内側にＶ字状に折り込み可能な左右一対の側面折り込み部１５とを備え、自立させた状態で上端取出し口１１を開口しつつ収容された洗剤１６を取り出せるようにした洗剤用の袋容器であって、正面部１４と側面折り込み部１５とが連接する４箇所の立辺１７に沿って、塑性変形可能な縦方向線状部材１８が取出し口部１３から胴部１２にかけて各々取り付けられており、少なくとも正面部１４には、縦方向線状部材１８と交差する位置に、高さ方向の途中で袋を切断させる切断案内線２１が設けられており、且つ縦方向線状部材１８は、切断案内線２１に沿って切断可能となっている。
【００２０】
また、本第１実施形態によれば、切断案内線２１は、高さ方向に間隔をおいて複数設けられている。
【００２１】
本第１実施形態によれば、ガセット袋１０は、予め設計された所定の形状に切断加工された１枚又は複数枚のシート材料２２に、公知の各種の折り曲げ加工や接合加工を施すことにより、矩形形状を有する底部１９と、底部１９の各辺部から立設する前後一対の正面部１４及び左右一対の側面折り込み部１５によって周囲を囲まれて、洗剤を収容する袋容器の本体部分を構成する胴部１２と、この胴部１２の上方部分に一体として連続配置され、当該ガセット袋１０を閉塞する際に折り返される部分である取出し口部１３とからなるガセット袋容器として形成される。またガセット袋１０は、上端取出し口１１から収容物である粉末状の洗剤１６を予め設計された所定量投入した後に（図２（ｂ）参照）、左右一対の側面折り込み部１５をＶ字状に内側に折り込むようにしながら上端取出し口１１を例えばシール接合して封止することにより、投入された洗剤１６を内部に封入すると共に（図２（ａ）参照）、洗剤１６の未収容部分である取出し口部１３を例えば２重に折り返した状態で、洗剤製品として製品化されている（図１参照）。
【００２２】
また、本第１実施形態によれば、ガセット袋１０を構成するシート材料２２として、アルミ箔層を含む多層シートが用いられており、好ましくは、図３に示すように、例えば最外層である第１層がポリエステル、第２層がポリエチレン、第３層がアルミ箔、第４層がポリエチレン、最内層である第５層がシーラント層からなる５層構造の多層シートを用いることができる。また多層シートにおけるアルミ箔層の厚さは、５〜５０μｍとすることが好ましく、５〜２０μｍとすることがさらに好ましい。シート材料２２としてアルミ箔層を含む多層シートを用いることにより、再封（リシール）する際の折り曲げ作業を容易にすることができ、さらに、袋にしわ等が発生し難くなってガセット袋１０の外観を良好に保持することが可能になる。
【００２３】
さらに、前後一対の正面部１４と左右一対の側面折り込み部１５は、胴部１２及び取出し口部１３の４箇所の各立辺１７において、シート材料２２の最内層のシーラント層を隅部１７に沿って例えば２〜３０ｍｍ程度のヘムシール幅で折返し融着接合することによる折返しシール部であるヘムシール２３を形成すると共に、矩形断面を有する中空筒状に接合一体化されている。またこれによって、ガセット袋１０の上端の取出し口１１は、これを開封した際に、底部１９と略同様の大きさの矩形形状を有することになる。なお、前後一対の正面部１４と左右一対の側面折り込み部１５とが４箇所の立辺１７において各々ヘムシール２３によって接合されていることにより、ガセット袋１０の形状保持性及び取出し口１１の開口保持性を十分に発揮することがが可能になる。
【００２４】
さらにまた、本第１実施形態によれば、正面部１４と側面折り込み部１５とが連接する４箇所の立辺１７に沿って、塑性変形可能な縦方向線状部材１８が各々取り付けられている。塑性変形可能な縦方向線状部材１８は、例えば０．１〜５．０ｍｍ、好ましくは０．３〜１．０ｍｍの太さの金属製の針金からなり、例えば接着テープ等によって覆われるようにして側面シート１５の外側面に貼り付けられ、４箇所の立辺１７のヘムシール２３に取出し口部１３から胴部１２に跨る長さで取り付けられている。また本第１実施形態によれば、縦方向線状部材１８は、切断案内線２１が交差する部分で予め切断された状態で断続的に連続させて設けられている。
【００２５】
なお、本第１実施形態によれば、縦方向線状部材１８として、例えば０．１〜５．０ｍｍ、好ましくは０．３〜１．０ｍｍの太さの金属製の針金を被覆樹脂で覆ったものを好ましく用いることができる。ここで、被覆樹脂としては、例えばポリオレフィン系樹脂、塩化ビニル等を用いることができる。縦方向線状部材１８として針金を被覆樹脂で覆ったものを用いることにより、針金の厚さ（径）を実質的に大きくして、縦方向線状部材１８の折り曲げ強度を向上させることが可能になると共に、縦方向線状部材１８が折り曲げられる際の折り曲げ半径大きくして、繰り返し曲げ耐久性を効果的に向上させることが可能になる。また被覆樹脂は、金属製の針金を幅広の平たい形状で覆うことが好ましく、これによって縦方向線状部材１８のハンドリング性を向上させることが可能になる。
【００２６】
そして、本第１実施形態によれば、高さ方向の途中で袋を切断させる切断案内線２１として、例えばテープを引き剥がすことにより、それ自体が切断機能を備える切断用テープが用いられている。切断用テープとしては、例えば特開２０００−１４２７２６に開示されているような、袋本体を構成するフィルムの熱溶着側の一方の端部から袋本体を周回して他方の端部に亘って固着した開封テープを用いることができる。
【００２７】
また、本第１実施形態によれば、切断テープによる切断案内線２１は、ガセット袋１０の全周に亘って、前後一対の正面部１４及び左右一対の側面折り込み部１５に連続して設けられており、さらに、上下に間隔をおいてガセット袋１０の上半部分に２段設けられている。
【００２８】
そして、本第１実施形態のガセット袋１０は、上述のように粉末状の洗剤１６を封入した状態で洗剤製品として製品化され、使用者は、上端の封止部分を切り取って上端取出し口１１を開口形成し、洗剤１６を繰り返し取り出して使用することになるが、本第１実施形態のガセット袋１０によれば、自立させた状態で洗剤１６を取り出し易くすると共に、取出し口部１３を容易且つ確実に閉塞して洗剤１６を効果的に保存することができ、且つ洗剤１６が減少した場合でも、収容物の取り出し易さを容易に保持することができる。
【００２９】
すなわち、本第１実施形態によれば、ガセット袋１０には、正面部１４と側面折り込み部１５とが連接する４箇所の立辺１７に沿って、塑性変形可能な縦方向線状部材１８が取出し口部１３から胴部１２にかけて各々取り付けられているので、上端取出し口１１を開封して矩形形状に開放した際に、４箇所の立辺１７において立設する縦方向線状部材１８が４隅における柱としての機能を果たして、上端取出し口１１を矩形形状に広く開放した状態に容易に保持することが可能になり、これによって、自立させた状態においても、収容物である洗剤１６を容易且つ効率良く取り出すことが可能になる。
【００３０】
また、４箇所の立辺１７に沿って配置された縦方向線状部材１８は、手の指の力で容易に折り曲げて変形させることができると共に、折り曲げ後の形状を容易に保持できる程度の塑性変形性を備えており、且つ取出し口部１３を折り返してガセット袋１０を閉塞した際に、取出し口部１３のシート材料２２による折り返し復元力に効果的に抵抗して、取出し口部１３の折り返し状態を安定して保持できる程度の塑性変形時の保形剛性を有しているので、側面折り込み部１５を内側に折り込みつつ上端取出し口１１における一対の正面部１４の上端を重ね合わて当該上端取出し口１１を閉じながら、縦方向線状部材１８と共に取出し口部１３のシート材料２２を折り返し部２４に沿って下方に折り返すだけの簡単な操作によって、図４に示すように、ガセット袋１０の取出し口部１３を容易且つ確実に閉塞することが可能になる。
【００３１】
そして、収容した洗剤１６を再び使用する際には、折り曲げられた縦方向線状部材１８を直線状に復元するように塑性変形させつつ、上端取出し口１１を開口させると共に、このような縦方向線状部材１８を芯材とする上端取出し口１１の開放及び取出し口部１３の閉塞を繰り返しつつ、洗剤１６が使用されることになるが、本第１実施形態によれば、縦方向線状部材１８と交差する位置に、高さ方向の途中で袋を切断させる切断案内線２１が設けられているので、使用により内部の洗剤１６が減少するのに伴って、上部の洗剤１６が収容されない部分が大きくなることにより上端取出し口１１から洗剤に至るまでの長さが長くなっても、必要に応じてガセット袋１０の上方部分を切断案内線２１を介して順次切断し、洗剤１６が収容されていない余剰部分の袋及び縦方向線状部材１８を切り離して行くことにより、縦方向線状部材１８を介した開閉機能を保持しつつ、収容された洗剤１６から近い位置に上端取出し口１１を開口させて、収容物の取り出し易さを容易に保持することが可能になる。
【００３２】
図５は、本発明の好ましい第２実施形態に係るガセット袋３０を示すものであり、本第２実施形態のガセット袋３０によれば、上記第１実施形態の構成要件に加えて、各側面折り込み部１５の外側面においてヘムシール２３に沿って各一対取り付けられた縦方向線状部材１８の上端部分には、各一対の縦方向線状部材１８と共にコの字形状を形成する塑性変形可能な横方向線状部材３１が、各側面折り込み部１５に沿って取り付けられている。
【００３３】
そして、本第２実施形態のガセット袋３０によれば、上記第１実施形態のガセット袋３０と同様の作用効果を奏すると共に、一対の縦方向線状部材１８の上端部分の間に横方向線状部材３１が各側面折り込み部１５を横断するように設けられているので、上端取出し口１１を開口する際に、横方向線状部材３１を直線状に復元して支持させることにより、内側に折り込まれていた側面折り込み部１５を延ばした状態として、矩形形状に拡がった上端取出し口１１を容易に保持することが可能になり、これによって、収容した洗剤１６の取り出しをさらに容易且つ効率良く行うことが可能になる。
【００３４】
なお、本発明は、上記各実施形態に限定されることなく種々の変更が可能である。例えば、ガセット袋を構成するシート材料は、アルミ箔層を含む上記構成の多層シートである必要は必ずしもなく、アルミ箔層を含まないシート材料や単層のシート材料であっても良い。例えばポリステル、ポリエチレン等からなるシート材料を用いることができる。また収容される収容物は、粉末状の洗剤である必要は必ずしもなく、シャンプーやリンス等の液体収容物や、菓子等の固体収容物等、その他の各種の収容物を収容する袋容器として使用することもできる。
【００３５】
また、立辺に沿って取り付けられる縦方向線状部材は、ガセット袋の上端部から胴部１２の底部分まで延設して設けることができ、切断案内線は、１段又は３段以上設けることもできる。さらに、上記第２実施形態において、縦方向線状部材１８の上端部分に設けられる横方向線状部材３１は、一対の縦方向線状部材１８の上端を連結するように連続させて設ける必要は必ずしもなく、一対の縦方向線状部材１８の上端の間、若しくは当該上端から上下に若干ずれた領域を含む上端部分において、一対の縦方向線状部材１８の上端から離間して設けることもでき、例えば３本の互いに離間した直線状部分によってコの字形状を形成するようにしても良い。
【００３６】
さらにまた、ガセット袋への縦方向線状部材の取り付けは、例えば正面部と略同様の矩形形状を有するシート材料の両側縁部に縦方向線状部材を設けたものを、各正面部の内側面に沿って袋の内部に挿入配置することにより、縦方向線状部材を４箇所の立辺に沿って配設することもできる。
【図面の簡単な説明】
【００３７】
【図１】本発明の第１実施形態に係るガセット袋による洗剤製品を示す斜視図である。
【図２】（ａ）は本発明の第１実施形態に係るガセット袋に収容物を封入した状態を示す斜視図、（ｂ）は同上端取出し口を開口する状態を示す斜視図である。
【図３】ガセット袋を構成するシート材料の層構成の一例を説明する断面図である。
【図４】取出し口部を折り返してガセット袋を閉塞する状態を示す斜視図である。
【図５】本発明の第２実施形態に係るガセット袋の上端取出し口を開口した状態を示す斜視図である。
【符号の説明】
【００３８】
１０，３０  ガセット袋
１１  上端取出し口
１２  胴部
１３  取出し口部
１４  正面部
１５  側面折り込み部
１６  洗剤（収容物）
１７  立辺
１８  縦方向線状部材
１９  底部
２０  切り取り線
２１  切断案内線
２２  シート材料
２３  ヘムシール
２４  折り返し部
３１  横方向線状部材
【図１】
2005186955.tif 000003
【図２】
2005186955.tif 000004
【図３】
2005186955.tif 000005
【図４】
2005186955.tif 000006
【図５】
2005186955.tif 000007